(57)【要約】【課題】ヒータ回路の断線を短時間で検出可能な空気調和機を提供すること。【解決手段】冷媒を圧縮する圧縮機１と、前記圧縮機を駆動する圧縮機駆動回路２と、通電により発熱するヒータ３と、前記ヒータを駆動するヒータ駆動回路４と、交流電源６と、前記交流電源から供給される電流を検出する電流検出回路７と、前記電流検出回路の出力である電流信号を検出する機能及び前記圧縮機駆動回路をオン／オフする機能及び前記ヒータ駆動回路をオン／オフする機能を有するマイクロコンピュータ８からなり、前記圧縮機駆動回路がオン状態において、前記ヒータ駆動回路をオンする前の電流信号とオンした後の電流信号を比較し、その差が一定値以上なければ、前記ヒータの断線もしくは前記ヒータ駆動回路の故障と判断が可能となる。【選択図】図１
2006292239.tif 000002
【特許請求の範囲】
【請求項１】
冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオン状態において、前記ヒータ駆動回路をオンする前の電流信号とオンした後の電流信号を比較し、その差が一定値以上なければ、前記ヒータの断線もしくは前記ヒータ駆動回路の故障と判断するヒータ回路断線検知機能を備えたことを特徴とする空気調和機。
【請求項２】
冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオフ状態において、前記ヒータ駆動回路をオンする前の電流信号とオンした後の電流信号を比較し、その差が一定値以上なければ、前記ヒータの断線もしくは前記ヒータ駆動回路の故障と判断するヒータ回路断線検知機能を備えたことを特徴とする空気調和機。
【請求項３】
ヒータ駆動回路に電磁リレーを用いたことを特徴とする請求項１または２に記載の空気調和機。
【請求項４】
ヒータ駆動回路にＳＳＲを用いたことを特徴とする請求項１または２に記載の空気調和機。
【発明の詳細な説明】
【技術分野】
【０００１】
本発明は、ヒータ回路の断線検知機能を有する空気調和機に関するものである。
【背景技術】
【０００２】
従来、この種のヒータ断線機能を有する空気調和機では、ヒータ温度を検出して、ヒータオン動作後のある設定された時間経過後に測定したヒータ温度に対して、ヒータの断線検知を実現している（例えば、特許文献１参照）。
【０００３】
図４は、特許文献１に記載された従来のヒータ断線機能を有する空気調和機を示すものである。図４に示すように、温度設定機能９と、ヒータ温度検出機能１０と、学習機能１１と、診断機能１２から構成されている。
【特許文献１】特開平７−１８０８８２号公報
【発明の開示】
【発明が解決しようとする課題】
【０００４】
しかしながら、前記従来の構成では、ヒータオン動作後、ヒータ温度検出機能１０で検出されたヒータ温度が温度設定機能９に設定された温度に上昇するまでヒータの断線が検知できないので、ヒータの断線検知に数分かかるという課題を有していた。
【０００５】
本発明は、前記従来の課題を解決するもので、ヒータ回路の断線を短時間で検出可能な空気調和機を提供することを目的とする。
【課題を解決するための手段】
【０００６】
前記従来の課題を解決するために、本発明の空気調和機は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオン状態において、前記ヒータ駆動回路をオンする前の電流信号とオンした後の電流信号を比較し、その差が一定値以上なければ、前記ヒータの断線もしくは前記ヒータ駆動回路の故障と判断することを可能としたものである。
【０００７】
これによって、圧縮機駆動回路がオンした状態で、ヒータ駆動回路をオンした後、数秒以内でヒータの断線もしくはヒータ駆動回路の故障（ヒータとヒータ駆動回路を合わせてヒータ回路と呼ぶ）を判断することが可能となる。
【０００８】
また、本発明の空気調和機は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオフ状態において、前記ヒータ駆動回路をオンする前の電流信号とオンした後の電流信号を比較し、その差が一定値以上なければ、前記ヒータの断線もしくは前記ヒータ駆動回路の故障と判断することを可能としたものである。
【０００９】
これによって、圧縮機駆動回路がオフした状態で、ヒータ駆動回路をオンした後、数秒
以内でヒータの断線もしくはヒータ駆動回路の故障を判断することが可能となる。
【発明の効果】
【００１０】
本発明の空気調和機は、ヒータ駆動回路をオンする前の電流信号とオンした後の電流信号を比較することで、ヒータ駆動回路をオンした後、数秒以内でヒータ回路の断線を検知することができる。
【発明を実施するための最良の形態】
【００１１】
第１の発明は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオン状態において、前記ヒータ駆動回路をオンする前の電流信号とオンした後の電流信号を比較し、その差が一定値以上なければ、前記ヒータの断線もしくは前記ヒータ駆動回路の故障と判断するヒータ回路断線検知機能を備えたことを特徴とする空気調和機とすることにより、ヒータ駆動回路をオンした後、数秒以内でヒータ回路の断線を検知することができる。
【００１２】
第２の発明は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給される電流を検出する電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、前記圧縮機駆動回路がオフ状態において、前記ヒータ駆動回路をオンする前の電流信号とオンした後の電流信号を比較し、その差が一定値以上なければ、前記ヒータの断線もしくは前記ヒータ駆動回路の故障と判断するヒータ回路断線検知機能を備えたことを特徴とする空気調和機とすることにより、ヒータ駆動回路をオンした後、数秒以内でヒータ回路の断線を検知することができる。
【００１３】
以下、本発明の実施の形態について、図面を参照しながら説明する。なお、この実施の形態によって本発明が限定されるものではない。
（実施の形態１）
図１は、本発明の第１及び第２の実施の形態における空気調和機のブロック図を示すものである。１は冷媒を圧縮する圧縮機、２は圧縮機１を駆動する圧縮機駆動回路、３は通電により発熱するヒータ、４はヒータ３を駆動するヒータ駆動回路、５はヒータとヒータ駆動回路を合わせたヒータ回路、６は交流電源、７は交流電源から供給される電流を検出する電流検出回路、８は電流検出回路の出力である電流信号を検出する機能及び前記圧縮機駆動回路をオン／オフする機能及び前記ヒータ駆動回路をオン／オフする機能を有するマイクロコンピュータである。図１は以下の実施の形態１と実施の形態２に共通のものである。
【００１４】
図２は、本発明の第１の実施の形態における空気調和機の動作シーケンスを説明する図である。図２において、圧縮機駆動回路２がオンしている状態において、ヒータ駆動回路４がオンするｍ秒前の電流信号Ｉｍとヒータ駆動回路４がオンしたｎ秒後の電流信号Ｉｎの差ΔＩ＝Ｉｎ−Ｉｍを検出し、その差ΔＩがあらかじめマイクロコンピュータ８内部に設定された値以上であれば、正常に動作しているものと判断し、その差ΔＩがあらかじめマイクロコンピュータ８内部に設定された値未満であれば、ヒータ回路５の断線しているものと判断することができる。
【００１５】
（実施の形態２）
図３は、本発明の第２の実施の形態における空気調和機の動作シーケンスを説明する図である。図３において、圧縮機駆動回路２がオフしている状態において、ヒータ駆動回路４がオンするｍ秒前の電流信号Ｉｍとヒータ駆動回路４がオンしたｎ秒後の電流信号Ｉｎの差ΔＩ＝Ｉｎ−Ｉｍを検出し、その差ΔＩがあらかじめマイクロコンピュータ８内部に設定された値以上であれば、正常に動作しているものと判断し、その差ΔＩがあらかじめマイクロコンピュータ８内部に設定された値未満であれば、ヒータ回路５の断線しているものと判断することができる。
【産業上の利用可能性】
【００１６】
以上のように、本発明にかかる空気調和機は、ヒータ駆動回路をオンする前の電流信号とオンした後の電流信号を比較することで、ヒータ駆動回路をオンした後、数秒以内でヒータ回路の断線を検知することが可能となるので、ヒータ搭載のヒートポンプ式給湯機等の用途にも適用できる。
【図面の簡単な説明】
【００１７】
【図１】本発明の実施の形態１及び実施の形態２における空気調和機のブロック図
【図２】本発明の実施の形態１における空気調和機の動作シーケンス図
【図３】本発明の実施の形態１における空気調和機の動作シーケンス図
【図４】従来のヒータ断線検出機能を有する空気調和機のブロック図
【符号の説明】
【００１８】
１  圧縮機
２  圧縮機駆動回路
３  ヒータ
４  ヒータ駆動回路
５  ヒータ回路
６  交流電源
７  電流検出回路
８  マイクロコンピュータ
９  温度設定機能
１０  ヒータ温度検出機能
１１  学習機能
１２  診断機能
【図１】
2006292239.tif 000003
【図２】
2006292239.tif 000004
【図３】
2006292239.tif 000005
【図４】
2006292239.tif 000006